(57)【要約】【課題】構造部材内に配置される殆ど全ての配管に対して適用可能であり，製造及び取り付けが簡単なシール装置と，構造部材に対して物体を固定するための，簡単に製造可能でフレキシブルに使用可能な保持素子を提案する。【解決手段】壁面等の構造部材（１）内に配置された配管（２）をシールするためのシール装置（１１）は，配管をシールするためのテープ状シール部材（３）と，シール部材（３）を保持するための保持素子（４．１，４．２，４．３）とを具える。各保持素子（４．１，４．２，４．３）は，構造部材（１）に対して保持素子（４．１，４．２，４．３）を固定するための固定部分（４１．１）を有する。各保持素子（４．１，４．２，４．３）は３個のカバーセグメント（４２，４３．１，４３．２）を具え，２個のカバーセグメント（４３．１，４３．２）はシール手段（３）に係合するための係合手段を有する。【選択図】図１ｂ
2004169922.tif 000002
【特許請求の範囲】
【請求項１】
構造部材（１）内に配置された配管をシールするための少なくとも1個のシール手段（３）と，該シール手段（３）を保持するための少なくとも２個の保持素子（４；４．１，４．２，４．３）とを具え，各保持素子（４）が構造部材（１）に対して保持素子（４）を固定するための固定部分（４１）を有するシール装置において，各保持素子（４；４．１，４．２，４．３）が少なくとも２個のカバーセグメント（４２，４３．１，４３．２）を具え，少なくとも１個のカバーセグメント（４３．１，４３．２）が前記シール手段（３）を係合させるための係合手段（４７．１，４７．２）を具えることを特徴とするシール装置。
【請求項２】
請求項１記載のシール装置において，前記シール手段（３）が布テープ（３１）を具え，該布テープ上に膨張性材料のインレイ（３２）が配置されていることを特徴とするシール装置。.
【請求項３】
請求項２記載のシール装置において，前記インレイ（３２）が湿潤時に膨張性を呈する材料からなることを特徴とするシール装置。
【請求項４】
請求項１〜３の何れか一項に記載のシール装置において，前記シール手段（３）が長さを短縮可能であり，かつ，配管（２）の外面上に周設可能であることを特徴とするシール装置。
【請求項５】
請求項１〜４の何れか一項に記載のシール装置において，前記カバーセグメント（４３．１，４２；４２，４３．２）が相互間にヒンジ（４８．１，４８．２）を具えることを特徴とするシール装置。
【請求項６】
構造部材（１）に対して保持素子（４）を固定するための固定部分（４１）を構成する第１ウェブと，構造部材（１）に対してシール手段等の物体を固定するためのカバーセグメント（４２）を構成する少なくとも１個の第２ウェブとを具える保持素子において，第２ウェブ（４２）の少なくとも一側に，前記物体を固定するための別のカバーセグメント（４３．１，４３．２）を具えることを特徴とする保持素子。
【請求項７】
請求項6記載の保持素子において，少なくとも１個のカバーセグメント（４２，４３．１，４３．２）の遊端で，カバーセグメント（４２，４３．１，４３．２）に対してほぼ直角に位置する保持部分（４４．１，４４．２，４４．３）をカバーセグメント（４２，４３．１，４３．２）が具えることを特徴とする保持素子。
【請求項８】
請求項６又は７に記載の保持素子において，少なくとも１個のカバーセグメント（４２，４３．１、４３．２）が係合手段（４７．１，４７．２）を具え，該係合手段が固定すべき物体に対して係合可能であることを特徴とする保持素子。
【請求項９】
請求項６〜８の何れか一項に記載の保持素子において，前記カバーセグメント（４３．１，４２；４２，４３．２）は相互にヒンジ結合されていることを特徴とする保持素子。
【請求項１０】
請求項６〜９の何れか一項に記載の保持素子において，該保持素子（４）が金属加工部材よりなることを特徴とする保持素子。
【発明の詳細な説明】
【技術分野】
【０００１】
本発明は，壁面等の構造部材内に配置された配管をシールするための少なくとも1個のシール手段と，該シール手段を保持するための少なくとも２個の保持素子とを具え，各保持素子が構造部材に対して保持素子を固定するための固定部分を有するシール装置に関するものである。更に，本発明は，構造部材に対して保持素子を固定するための固定部分を構成する第１ウェブと，構造部材に対してシール手段等の物体を固定するためのカバーセグメントを構成する少なくとも１個の第２ウェブとを具える保持素子に関するものでもある。
【背景技術】
【０００２】
膨張性消火剤を含有する，いわゆる消火スリーブは既知である。この消火スリーブは，火災が発生すると，構造部材と，この構造部材を貫通する配管との間に存在する環状スペースを火炎及び煙に対して気密にシールする。配管の直径及び種類に応じて，通常，異なる長さ及び／又は内径の消火スリーブが用意されている。
【０００３】
ドイツ特許出願公開公報ＤＥ１９８５２１２０Ａ１（特許文献１）に記載されている薄板カバーは，規則的な開口を具え，配管上で円周方向に曲げられる。互いに離間させて配置したアングル状の壁面フックにより消火スリーブを，長手方向外方に向けて端面側まで延在しつつ半径方向内側で把持することにより，消火スリーブを壁面に取り付ける。このような壁面フックは，消火スリーブに応じてそれぞれ固有の長さのものを用意しておく必要がある。
【０００４】
ドイツ特許出願公開公報ＤＥ４４１１２２０Ａ１（特許文献２）に記載されている配管スリーブは，配管上で円周方向に曲げることによりシール機能を発揮する薄板カバーを具え，その半径方向内側には全周を包囲する膨張性消火剤（膨張性グラファイト等）を配置する。互いに離間させて配置したアングル状の壁面フックを，半径方向外方へ向けて消火スリーブの薄板カバーに打ち抜いたアイレットに係止することにより，消火スリーブを壁面に取り付ける。アイレットの打ち抜きには，コスト集約的な特殊工具が必要となる。
【特許文献１】ドイツ特許出願公開公報ＤＥ１９８５２１２０Ａ１
【特許文献２】ドイツ特許出願公開公報ＤＥ４４１１２２０Ａ１
【０００５】
上述した従来技術は広範な使用分野において適用可能ではあるが，その製造コストを低下させるのが望ましく，また，多数の壁面ブラケットを必要とする点で，なお改善の余地がある。
【発明の開示】
【発明が解決しようとする課題】
【０００６】
本発明の課題は，構造部材内に配置される殆ど全ての配管に対して適用可能であり，製造及び取り付けが簡単でシール装置を提案すると共に，構造部材に対して物体を固定するための簡単に製造可能でフレキシブルに使用可能な保持素子を提案することにある。
【課題を解決するための手段】
【０００７】
この課題を解決するため，本発明によるシール装置は，構造部材内に配置された配管をシールするための少なくとも1個のシール手段と，該シール手段を保持するための少なくとも２個の保持素子とを具え，各保持素子が構造部材に対して保持素子を固定するための固定部分）を有するシール装置において，各保持素子が少なくとも２個のカバーセグメントを具え，少なくとも１個のカバーセグメントが前記シール手段を係合させるための係合手段を具えることを特徴とするものである。
【０００８】
本発明によるシール装置を用いることにより，壁面，天井又は床面等に内設した各種寸法及び断面形状の配管を確実にシールすることができる。シール手段は，配管の外周面で対応する構造部材に配置される。配置される保持素子の個数は，配管の周長等の既存条件及び／又はシール装置に課される安全性等に係る要件に応じて決定される。この場合，複数の保持素子を外周全体に沿って互いに離間させて配置する。したがって，シール手段の外周面は保持素子のカバーセグメントにより完全に包囲されることとなる。
【０００９】
本発明によれば，係合手段によりシール手段と保持手段とを結合する。例えば，係合手段をマンドレル又は先鋭部として形成し，好適にはシール手段に刺し込まれる逆フックを有する構成として，保持素子とシール手段とを結合させることが可能である。
【００１０】
シール手段が布テープを具え，この布テープ上に膨張性材料からなるインレイを配置するのが好適である。このシール手段は，配管を消火目的でシールするのに適している。火災が発生すると，膨張性材料が膨張すると共に，煙ガスが漏れないように配管の周囲をシールする。シール手段の布テープに係合する保持素子の係合手段により，膨張性材料がその材料特性に鑑みて保持素子のカバーセグメントとインレイとの結合には適しないとしても，シール手段を構造部材により確実に保持することが可能である。
【００１１】
本発明の一実施形態において，シール手段は布テープを具え，この布テープ上に湿潤時に膨張性を呈する材料からなるインレイを配置する。水分等の液体が浸入すると，膨張性材料が膨張して配管を液密にシールする。シール手段の布テープに係合する保持素子の係合手段により，膨張性材料がその材料特性に鑑みて保持素子のカバーセグメントとインレイとの結合には適しないとしても，シール手段を構造部材により確実に保持することが可能である。
【００１２】
シール手段は長さを短くできること，及び，シール手段は配管の回りに周設可能であるのが好適である。シール手段は，シールすべき配管の周長に応じた長さに切断して配管上に周設する。この目的のために，シール手段は可撓性を有しており，異なる寸法を有する配管の矩形又は円形等の断面形状に対して有利に適合させることが可能である。シール手段は，ペンチ又はナイフ等の簡単な工具により所望の長さに切断できる点で好適である。
【００１３】
カバーセグメント相互間に各１個のヒンジを配置するのが有利である。配管の断面形状及び寸法に応じて，カバーセグメントを配管に適合させることができる。例えば，大径の配管と対比して小径の配管では，カバーセグメントを互いにより強く曲げることになる。本発明によるシール装置を用いて矩形の配管が通過するダクトをシールする場合，保持素子を配管の各コーナーに配置することができる。この保持素子のカバーセグメントは，互いに直角に曲げられる。カバーセグメント間のヒンジは，材料テーパ又は接触面に沿うパーフォレーション加工により，カバーセグメントの間に形成することが可能である。更に，フィルムヒンジ又は機械的なヒンジによってヒンジを形成することができる。
【００１４】
本発明による保持素子は，構造部材に対して保持素子を固定するための固定部分を構成する第１ウェブと，構造部材に対してシール手段等の物体を固定するためのカバーセグメントを構成する少なくとも１個の第２ウェブとを具える。本発明による保持素子を使用することにより，シール手段の他にも，金属加工部材（例：薄板フレーム），インレイ，オーバーレイ等を壁面，天井，床面等の構造部材に対して固定することができる。固定部分は，少なくとも１個の開口（例：長孔）を具え，この開口を通過する少なくとも１本のねじ等の固定手段を貫通させることが可能である。第２ウェブの少なくとも一側には，物体を固定するために別のカバーセグメントを配置する。少なくとも２個のカバーセグメントを用いて，保持素子を固定すべき物体のくせ取り，寸法及び種類に適合させることができる。
【００１５】
少なくとも１個のカバーセグメントの遊端には，カバーセグメントに対してほぼ直角に位置する保持部分を配置するのが好適である。保持部分は，固定すべき物体が構造部材の面内で変位すること及び／又は構造部材面に対して直角に変位することを確実に防止する。配管シールに使用するシール手段は，本発明による保持素子の本実施形態において，シールすべき配管の長手方向軸線に向けた変位を防止することが可能である。固定すべき物体が格子状のピッチで段付けされた構造部材面に対して直角に延在する延長部又は格子状のピッチで段付けされた高さを有するのが好適である。したがって，各種の物体を構造部材に固定可能とするためには，工具側で曲げた保持部分を有する極く僅かな個数の種々の保持素子を使用可能とする必要がある。保持部分は，保持素子が現場で適合可能となるように，保持素子側に形成するのが好適であり，各種用途に対して保持素子のフレキシブルな投入が可能となる。保持素子は，カバーセグメントの面内にも配置可能であるため，固定すべき物体の寸法に応じて現場で曲げることができる。この目的のために，保持部分は所定のグリッドに予定折曲個所を具える。
【００１６】
少なくとも１個のカバーセグメントに係合手段を形成し，この係合手段を固定すべき物体に係合可能とするのが好適である．係合手段は，マンドレル又は先鋭部材等として形成し，好適にはシール手段に突き刺される逆フックを具える構成とする。物体は，係合手段が物体中に突入可能であり，物体を十分に固定するような材料特性を有するのが好適である。物体の材料は，係合手段の突入に際して排除される。このような結合による十分な固定作用を確実なものとするため，物体の外面に被覆層を施すか，あるいは適当な布等のジャケットにより包囲することができる。更に，保持素子の少なくとも１個のカバーセグメントに接着部を設けることも可能である。これらの接着部は，カバーセグメントの調整面が物体に接触すると物体との接着結合を実現するものである。
【００１７】
カバーセグメントを互いにヒンジ結合するのが有利である。少なくとも２個のカバーセグメントの位置が互いに容易に作業現場で調整可能となり，固定すべき物体の断面形状及び寸法が一定でない場合でも保持素子を所定の形態で使用することができる。カバーセグメント間のヒンジは，材料テーパ又は接触面に沿うパーフォレーション加工によりカバーセグメントの間に形成することが可能である。更に，フィルムヒンジ又は機械的なヒンジによってヒンジを形成することができる。
【００１８】
保持素子を金属シート素材からパンチング又はベンディング部材として製造するのが好適である。保持素子は，１枚のシート素材から僅かな加工工程を経て製造可能となる。更に，保持素子はプラスチック等の射出成形で製造することもできる。
【００１９】
以下の詳細な説明及び特許請求の範囲全体から，本発明に係る更に有利な実施形態及び特徴の組み合わせを明らかにする。
【発明を実施するための最良の形態】
【００２０】
以下，本発明を図示の実施形態について更に具体的に説明する。なお，各図で機能的に対応する構成要素は同一の参照数字を付して表す。
【００２１】
図１ａは，本発明に係るシール装置による配管の第１取付工程を示す斜視図である。配管２は図示した壁面部分１を貫通して案内され，その配管２の周囲を本発明によるシール装置でシールする。この場合，テープ状のシール部材３を，配管２の既定の外周長さに対応して周設する。
【００２２】
図１ｂは，図１ａに示したシール装置の次の取付工程を示す。シール部材３を壁面１に固定するために，３個の保持素子４．１，４．２，４．３を具える。保持素子４．１，４．２，４．３の構造については後述する。
【００２３】
図２は，巻回されたシール手段の一部を巻き戻した状態を示す斜視図である。シール部材３は支持層として布テープ３１を具え，この布テープ３１上に押し出し成形等によりインレイ３２を展着する。配管を消火目的でシールするために，布テープ１１上には膨張性材料のインレイ３２を展着する。防水目的のシールでは，湿潤時に膨張性を呈する材料からなるインレイ３２を布テープ３１上に展着する。シール部材３は巻回するか，折り畳むことが可能であり，ナイフ等の工具で所望の長さに切断することができる。
【００２４】
図３ａは，本発明に係る保持素子を示す斜視図である。保持素子４は，固定部分４１と，固定部分４１に対して直角に曲げたカバーセグメント４２とを有する。固定部分４１には1個の長孔４５を設け，構造部材に対して保持素子４を固定するための固定手段（例：ねじ５）が前記長孔４５を貫通して案内される。カバーセグメント４２の側方には，更に２個のカバーセグメント４３．１，４３．２をヒンジ状に配置する。カバーセグメント４３．１とカバーセグメント４２との間，及び，カバーセグメント４２とカバーセグメント４３．２との間には，二つの材料テーパを介在させてヒンジ４８．１，４８．２を形成する。カバーセグメント４３．１のパンチング４６．１とカバーセグメント４３．２のパンチング４６．２とを利用しつつ，シール手段等の物体に対して保持素子４を係合させるための係合手段４７．１，４７．２をカバーセグメント４３．１，４３．２に形成する。
【００２５】
固定部分４１に対向するカバーセグメント４２，４３．１，４３．２の端部では，保持部分４４．１，４４．２，４４．３がカバーセグメント４２，４３．１，４３．２に対して直角に曲がり，これらのカバーセグメントはシール手段３等の物体を少なくとも部分的に包囲する。図３ｂは，図３ａに示した保持素子を別の角度から示す斜視図である。打ち出された係合手段４７．１，４７．２は，逆フックのない矢形の先鋭体として形成される。
【００２６】
上述したところから明らかなとおり，本発明によれば，構造部材内の殆ど全ての配管に適用可能であると共に，簡単に製造及び取付可能とするフレキシブルなシール装置が実現される。実際に使用した各種配管のサイズ及び断面形状に応じたて異なる仕様のシール装置を準備することは不要となる。更に，本発明の保持素子を用いることにより，構造部材にシール手段を固定するための取付手段が容易に製造可能となり，フレキシブルな使用が可能となる。
【図面の簡単な説明】
【００２７】
【図１ａ】本発明に係るシール装置を用いた配管の一取付工程を示す斜視図である。
【図１ｂ】図１ａのシール装置を用いた配管の次の取付工程を示す斜視図である。
【図２】巻回されたシール手段の一部を巻き戻した状態を示す斜視図である。
【図３ａ】本発明に係る保持素子を示す斜視図である。
【図３ｂ】図３ａの保持素子を異なる角度から示す斜視図である。
【符号の説明】
【００２８】
１  構造部分
２  配管
３  シール手段
４，４．１，４．２，４．３  保持素子
５  ねじ
３１  布テープ
３２  インレイ
４１  固定部分
４２，４３．１，４３．２  カバーセグメント
４７．１，４７．２  係合手段
４８．１，４８．２  ヒンジ
【図１ａ】
2004169922.tif 000003
【図１ｂ】
2004169922.tif 000004
【図２】
2004169922.tif 000005
【図３ａ】
2004169922.tif 000006
【図３ｂ】
2004169922.tif 000007